(57)【要約】【課題】受信装置が筐体の外部で、筐体とは離間した場所に取り付けられる場合と比して、筐体の外部の空間を有効に活用することができる開閉装置、及びシャッタ装置を得る。【解決手段】受信装置は、送信機から無線で送信された制御信号を受信するアンテナを有し、モータの駆動制御を行う駆動制御回路へ制御信号を伝送すると共に、筐体に取り付けられている。【選択図】図１
2019199741.tif 000002
【特許請求の範囲】
【請求項１】
シャッタカーテンを移動させて構造物の開口を開閉する開閉装置であって、
前記シャッタカーテンを巻き取る巻取体の内部に少なくとも一部が配置された筐体と、
前記筐体に取り付けられ、前記巻取体を回転させる回転力を発生するモータと、
送信機から無線で送信された制御信号を受信するアンテナを有し、前記モータの駆動制御を行う駆動制御回路へ前記制御信号を伝送すると共に、前記筐体に取り付けられた受信装置と、
を備えた開閉装置。
【請求項２】
前記筐体の内部に配置され、前記駆動制御回路が実装された制御基板を備え、
前記受信装置は、前記駆動制御回路に配線を介して接続されている請求項１に記載の開閉装置。
【請求項３】
前記筐体は、
円筒状の本体部と、
前記本体部の一方の開口を閉塞する閉塞部材と、を備え、
前記受信装置は、前記閉塞部材に取り付けられ、前記筐体の内部に配置されている請求項１又は２に記載の開閉装置。
【請求項４】
前記閉塞部材は、弾性材料で形成されている請求項３に記載の開閉装置。
【請求項５】
シャッタカーテンと、
前記シャッタカーテンを巻き取る円筒状の巻取体と、
請求項１〜４の何れか１項に記載の開閉装置と、
を備えたシャッタ装置。
【発明の詳細な説明】
【技術分野】
【０００１】
本発明は、開閉装置、及びシャッタ装置に関する。
【背景技術】
【０００２】
特許文献１に記載のシャッタカーテンを移動させる開閉装置は、建物開口部を開閉する開閉体を巻き取り繰り出し駆動するモータ部と、モータ部の上方に配置され、モータ部と制御配線を介して接続されてモータ部の駆動を制御する制御部と、モータ部と制御部とに亘って設けられ、制御部をモータ部と上下に重なる位置と制御部を開閉体の巻き取り中心軸に沿う方向へオフセットさせて制御部の下面の被作業面を下向きに露出させた位置とに配置する連結手段とを備えている。
【先行技術文献】
【特許文献】
【０００３】
【特許文献１】特開２０１７−２５５８３号公報
【発明の概要】
【発明が解決しようとする課題】
【０００４】
従来の開閉装置では、無線で送信される制御信号を受信する受信装置（無線モジュール）が、開閉装置の筐体の外部で、この筐体とは離間した場所に取り付けられることがあった。
【０００５】
本発明の課題は、受信装置が筐体の外部で、筐体とは離間した場所に取り付けられる場合と比して、筐体の外部の空間を有効に活用することである。
【課題を解決するための手段】
【０００６】
本発明の請求項１に係る開閉装置は、シャッタカーテンを移動させて構造物の開口を開閉する開閉装置であって、前記シャッタカーテンを巻き取る巻取体の内部に少なくとも一部が配置された筐体と、前記筐体に取り付けられ、前記巻取体を回転させる回転力を発生するモータと、送信機から無線で送信された制御信号を受信するアンテナを有し、前記モータの駆動制御を行う駆動制御回路へ前記制御信号を伝送すると共に、前記筐体に取り付けられた受信装置と、を備えたことを特徴とする。
【０００７】
上記構成によれば、無線で送信された制御信号を受信して、モータの駆動制御を行う駆動制御回路へ制御信号を伝送する受信装置は、巻取体の内部に少なくとも一部が配置された筐体に取り付けられている。このため、受信装置が筐体の外部で筐体とは離間した場所に取り付けられる場合と比して、筐体の外部の空間を有効に活用することができる。
【０００８】
本発明の請求項２に係る開閉装置は、請求項１に記載の開閉装置において、前記筐体の内部に配置され、前記駆動制御回路が実装された制御基板を備え、前記受信装置は、前記駆動制御回路に配線を介して接続されていることを特徴とする。
【０００９】
上記構成によれば、受信装置は、駆動制御回路に配線を介して接続されている。このため、受信装置が、制御基板に直接取り付けられている場合と比して、受信装置を介して制御基板にかかる振動等の負荷を軽減することができる。
【００１０】
本発明の請求項３に係る開閉装置は、請求項１又は２に記載の開閉装置において、前記筐体は、円筒状の本体部と、前記本体部の一方の開口を閉塞する閉塞部材と、を備え、前記受信装置は、前記閉塞部材に取り付けられ、前記筐体の内部に配置されていることを特徴とする。
【００１１】
上記構成によれば、受信装置は、閉塞部材に取り付けられ、筐体の内部に配置されている。このため、受信装置が、筐体の外部に配置されている場合と比して、雨水等の液体が受信装置に付着するのを抑制することができる。
【００１２】
本発明の請求項４に係る開閉装置は、請求項３に記載の開閉装置において、前記閉塞部材は、弾性材料で形成されていることを特徴とする。
【００１３】
上記構成によれば、閉塞部材は、弾性材料で形成されている。このため、筐体の本体部に衝撃が加わって本体部が振動した場合でも、閉塞部材が振動を吸収することで、受信装置に振動が伝達されるのを抑制することができる。
【００１４】
本発明の請求項５に係るシャッタ装置は、シャッタカーテンと、前記シャッタカーテンを巻き取る円筒状の巻取体と、請求項１〜４の何れか１項に記載の開閉装置と、を備えたことを特徴とする。
【００１５】
上記構成によれば、請求項１〜４の何れか１項に記載の開閉装置を備えることで、シャッタ装置の内部の空間を有効に活用することができる。
【発明の効果】
【００１６】
本発明によれば、受信装置が筐体の外部で、筐体とは離間した場所に取り付けられる場合と比して、筐体の外部の空間を有効に活用することができる。
【図面の簡単な説明】
【００１７】
【図１】本発明の実施形態に係る開閉装置を示した拡大斜視図である。
【図２】本発明の実施形態に係る開閉装置を示した斜視図である。
【図３】本発明の実施形態に係る開閉装置を示した分解斜視図である。
【図４】本発明の実施形態に係る開閉装置に備えられた受信装置、及び閉塞部材を示した斜視図である。
【図５】本発明の実施形態に係る開閉装置に備えられた受信装置、及び閉塞部材を示した分解斜視図である。
【図６】本発明の実施形態に係るシャッタ装置を示した構成図である。
【発明を実施するための形態】
【００１８】
本発明の実施形態に係る開閉装置、及びシャッタ装置の一例を図１〜図６に従って説明する。なお、図中に示す矢印Ｈは装置上下方向（鉛直方向）を示し、矢印Ｗは装置幅方向（水平方向）を示し、矢印Ｌは装置奥行方向（水平方向）を示す。
【００１９】
（シャッタ装置）
シャッタ装置１００は、建築物の窓に取り付けられる窓シャッタであって、図６に示されるように、フレーム１０２、巻取体１０６、シャッタカーテン１０４、及び開閉装置１０を備えている。
【００２０】
〔フレーム１０２〕
フレーム１０２は、一対のガイドレール１１２、シャッタケース１１４、及び下枠１１６を備えている。
【００２１】
一対のガイドレール１１２は、装置上下方向に夫々延びており、装置幅方向において窓の開口の両側に離間して配置されている。さらに、一対のガイドレール１１２は、シャッタカーテン１０４の両端部を装置奥行方向から夫々挟んでいる。そして、一対のガイドレール１１２は、上下移動するシャッタカーテン１０４を案内するようになっている。
【００２２】
シャッタケース１１４は、一対のガイドレール１１２の上端を連結するように、装置幅方向に延びて配置されている。そして、シャッタケース１１４において装置幅方向に直交した方向で切断した断面は、矩形筒状とされており、シャッタケース１１４の内部は、空洞とされている。また、下枠１１６は、一対のガイドレール１１２の下端を連結するように、装置幅方向に延びて配置されている。
【００２３】
〔巻取体１０６、シャッタカーテン１０４〕
巻取体１０６は、 装置幅方向に延びた筒状とされており、シャッタケース１１４の内部に配置されている。さらに、巻取体１０６は、装置幅方向に延びた回転軸周りに回転するように支持されている。
【００２４】
シャッタカーテン１０４は、フレーム１０２で囲まれた矩形の開口を開閉するように配置されている。このシャッタカーテン１０４は、装置幅方向に延びた帯状のスラット１２２を複数備え、装置上下方向に並べられ複数のスラット１２２が互いに連結されることで形成されている。そして、上端部のスラット１２２が、巻取体１０６に取り付けられている。
【００２５】
この構成において、巻取体１０６が正方向に回転することで、窓の開口を閉塞しているシャッタカーテン１０４が、一対のガイドレール１１２に案内されながら巻取体１０６に巻き取られる。そして、窓の開口が開放される。これに対して、巻取体１０６が逆方向に回転することで、窓の開口を開放しているシャッタカーテン１０４が、一対のガイドレール１１２に案内されながら巻取体１０６から巻き出される。そして、窓の開口が閉塞される。
【００２６】
〔開閉装置１０〕
開閉装置１０は、シャッタケース１１４の内部に配置されており、巻取体１０６を介してシャッタカーテン１０４を上下移動させることで窓の開口を開閉するようになっている。なお、開閉装置１０については、詳細を後述する。
【００２７】
（要部構成）
開閉装置１０は、図６に示されるように、シャッタケース１１４の内部で、かつ、少なくとも一部が筒状の巻取体１０６の装置幅方向に一方側（図中右側）の内部に配置されている。そして、開閉装置１０は、図２、図３に示されるように、筐体１２、駆動モータ１６、減速機構１８、回転伝達部材２２、制御基板２６、及び受信装置２８（所謂無縁モジュール）を備えている。
【００２８】
〔筐体１２〕
筐体１２は、装置幅方向に延びた円筒状の本体部３２と、本体部３２の装置幅方向の一方側（図中右側）の開口を閉塞する閉塞部材３４とを備えている。
【００２９】
−本体部３２−
本体部３２は、図２、図３に示されるように、上下方向に分割することが出来るようになっており、本体部３２の上方部分を形成すると共に下方が開口した断面半円状の上方部材３２Ａと、本体部３２の下方部分を形成すると共に上方が開口した断面半円状の下方部材３２Ｂとを備えている。
【００３０】
上方部材３２Ａ、及び下方部材３２Ｂは、金属材料で形成されている。そして、上方部材３２Ａの装置幅方向に延びた一対の縁部と、下方部材３２Ｂの装置幅方向に延びた一対の縁部とを装置上下方向に重ねた状態で、上方部材３２Ａと下方部材３２Ｂとが、図示せぬ取付部材によって取り付けられることで、本体部３２が形成されている。
【００３１】
−閉塞部材３４−
閉塞部材３４は、弾性材料であるゴム材料によって形成されている。ここで、弾性材料とは、アスカー硬度６０〔度〕以下で、かつ、３０〔度〕以上の材料である。なお、アスカー硬度とは、高分子計器株式会社のアスカー硬度計Ｃ型を用いて測定することができる。
【００３２】
閉塞部材３４は、図１、図４に示されるように、板面が装置幅方向を向いた円盤状とされており、無負荷状態の閉塞部材３４の外径は、本体部３２の内径と比して僅かに大きくされている。また、閉塞部材３４において装置幅方向の一方側（図中右側）を向いた面には、閉塞部材３４の径方向に延びると共に閉塞部材３４の径方向を向いた段差面３６が形成されている。
【００３３】
さらに、閉塞部材３４には、この段差面３６を境に、肉厚が比較的薄い薄肉部３８と肉厚が比較的厚い厚肉部４０とが形成されている。具体的には、段差面３６は、段差面３６に対して直交する方向（法線方向）から見て、閉塞部材３４の径方向に延びた矩形状とされている。そして、段差面３６は、装置幅方向に離間する一対の縁辺３６Ａ、３６Ｂと、閉塞部材３４の径方向に離間する一対の縁辺３６Ｃとに囲まれている。この縁辺３６Ａは、薄肉部３８において装置幅方向の一方側を向いた外表面３８Ａに形成され、縁辺３６Ｂは、厚肉部４０において装置幅方向の一方側を向いた外表面４０Ａに形成されている。
【００３４】
また、薄肉部３８には、図５に示されるように、薄肉部３８の表裏を貫通する貫通孔３８Ｂが形成されている。この貫通孔３８Ｂは、装置幅方向から見て、縁辺３６Ａに対して傾斜する傾斜方向に延びた矩形状とされている。さらに、薄肉部３８には、薄肉部３８の表裏を貫通する貫通孔３８Ｃが形成されている。この貫通孔３８Ｃは、装置幅方向から見て、円形状とされており、貫通孔３８Ｂに対して貫通孔３８Ｂの長手方向の隣りに配置されている。
【００３５】
また、厚肉部４０には、後述するアンテナ線５４を保持する保持部４２と、後述する電源線６０を保持する切欠部４０Ｂとが形成されている。
【００３６】
この保持部４２は、縁辺３６Ｂの中央側の部分で、縁辺３６Ｂに沿って形成されている。具体的には、保持部４２は、厚肉部４０の外表面４０Ａから突出した直方体状されている。そして、保持部４２には、装置幅方向から見て、縁辺３６Ｂと交差する方向に延びている溝部４２Ａが形成されている。この溝部４２Ａに後述するアンテナ線５４を嵌め込むことで、保持部４２は、アンテナ線５４を保持するようになっている（図１参照）。
【００３７】
また、切欠部４０Ｂは、装置幅方向から見て、保持部４２を挟んで薄肉部３８の貫通孔３８Ｂの反対側で、円弧状に形成されている。そして、切欠部４０Ｂは、閉塞部材３４の径方向の外側へ開口している。この切欠部４０Ｂに後述する電源線６０を、閉塞部材３４の径方向の外側から嵌め込むことで、切欠部４０Ｂが、電源線６０を保持するようになっている（図１参照）。
【００３８】
〔制御基板２６〕
制御基板２６は、図２、図３に示されるように、筐体１２の内部で、下方部材３２Ｂの装置幅方向の中央側の部分に取り付けられている。制御基板２６は、上方から見て、装置幅方向に延びた矩形状とされており、制御基板２６には、駆動モータ１６の駆動制御を行う駆動制御回路（符号省略）が実装されている。
【００３９】
さらに、制御基板２６には、各部に電力を供給するための電源線６０の基端と、後述する受信装置２８から伝送された制御信号を駆動制御回路に入力するための信号配線６４の基端とが接続されている。また、この信号配線６４の先端には、信号配線６４を受信装置２８と接続するためのコネクタ６６が取り付けられている。
【００４０】
〔駆動モータ１６、減速機構１８、回転伝達部材２２〕
駆動モータ１６、減速機構１８、回転伝達部材２２は、図２、図３に示されるように、制御基板２６に対して装置幅方向の他方側（図中左側）に配置されており、装置幅方向の一方側から他方側へこの順番で配置されている。
【００４１】
駆動モータ１６は、筐体１２の内部で、下方部材３２Ｂに取り付けられており、駆動モータ１６の出力軸（図示省略）は、装置幅方向の他方側に突出している。
【００４２】
減速機構１８は、筐体１２の内部で、下方部材３２Ｂに取り付けられており、減速機構１８には、駆動モータ１６の出力軸が接続されている。そして、減速機構１８は、駆動モータ１６から伝達された回転の回転数を減少させ、かつ、駆動モータ１６から伝達された回転のトルクを増大させて回転伝達部材２２に伝達するようになっている。
【００４３】
回転伝達部材２２は、装置幅方向において筐体１２の他方側から筐体１２の外部へ露出しており、回転伝達部材２２には、減速機構１８の出力軸が接続されている。そして、回転伝達部材２２は、円盤状とされており、回転伝達部材２２の外径は、筐体１２の外径と比して大きくされている。また、回転伝達部材２２の外周面には、４個の駆動溝２２Ａが、周方向に同様の間隔で形成されている。この駆動溝２２Ａは、巻取体１０６（図６参照）の内周面に形成された被駆動部（図示省略）に係合するようになっている。
【００４４】
この構成において、駆動モータ１６から出力された回転力は、減速機構１８によって減速、かつ、増大されて、回転伝達部材２２から巻取体１０６へと伝達される。そして、巻取体１０６が回転することで、シャッタカーテン１０４が、巻き出され、又は巻き取られることで、上下移動する。
【００４５】
〔受信装置２８〕
受信装置２８（所謂無線モジュール）は、図２、図３に示されるように、筐体１２を構成する閉塞部材３４に取り付けられている。そして、受信装置２８は、図５に示されるように、空洞とされた内部に電子部材を備えた本体部５０と、本体部５０の内部を閉塞する蓋部５２と、アンテナ線５４とを備えている。
【００４６】
−本体部５０−
本体部５０は、内部が空洞とされており、装置幅方向に延びた直方体状とされている。また、本体部５０において、装置奥行方向に対して直交する方向に切断した断面形状は、装置幅方向から見て縁辺３６Ａに対して傾斜した傾斜方向に延びた矩形状とされている。具体的には、本体部５０の断面形状は、装置幅方向から見て、閉塞部材３４の薄肉部３８に形成された貫通孔３８Ｂと同様の矩形状とされている。
【００４７】
そして、本体部５０において装置幅方向の一方側の部分で、電子部品を挿入するために本体部５０の内部が開放されている。また、本体部５０において装置幅方向の他方側の部分には、前述したコネクタ６６が接続される接続部５０Ａが形成されている。
【００４８】
−蓋部５２−
蓋部５２は、本体部５０の内部を閉塞しており、板面が装置幅方向を向いた板状とされている。また、装置幅方向から見て、蓋部５２の外形は、本体部５０の全体を覆うように本体部５０の外形と比して大きくされており、傾斜方向に延びた矩形状とされている。
【００４９】
そして、蓋部５２において本体部５０を覆う部分には、送信機（所謂操作リモコン）を受信装置２８に登録するための登録スイッチ５２Ａと、登録状況等を知らせるステータスランプ５２Ｂとが設けられている。さらに、蓋部５２において本体部５０を覆う部分には、アンテナ線５４が通る貫通孔５２Ｃが形成されている。また、蓋部５２において本体部５０から突出した部分には、装置幅方向において閉塞部材３４の貫通孔３８Ｃと重なると共に蓋部５２の表裏を貫通する円形状の貫通孔５２Ｄが形成されている。
【００５０】
−アンテナ線５４−
【００５１】
アンテナ線５４は、本体部５０の内部から蓋部５２の貫通孔５２Ｃを通って外部に露出しており、外部に露出した先端には、先端を保護する保護キャップ５４Ａが取り付けられている。そして、アンテナ線５４は、送信機を操作することにより無線で送信された制御信号を受信するようになっている。
【００５２】
この構成において、受信装置２８の本体部５０が、図４、図５に示されるように、閉塞部材３４の薄肉部３８の外表面３８Ａ側から貫通孔３８Ｂに挿入される。そして、蓋部５２が、薄肉部３８の外表面３８Ａに重なる。この状態で、装置幅方向から見て、薄肉部３８の貫通孔３８Ｃと、蓋部５２の貫通孔５２Ｄとは重なっている。
【００５３】
また、閉塞部材３４が本体部３２の装置幅方向の一方側の開口を閉塞した状態では、閉塞部材３４に取り付けられた受信装置２８は、筐体１２の内部に配置されている。ここで、受信装置２８が筐体１２の内部に配置される状態とは、受信装置２８が円筒状の本体部３２で囲まれている状態である。
【００５４】
〔その他〕
開閉装置１０は、図４、図５に示されるように、受信装置２８を閉塞部材３４に取り付けるためのカヌータイプの樹脂クリップ７０を備えている。具体的には、樹脂クリップ７０を、蓋部５２の貫通孔５２Ｄ、及び薄肉部３８の貫通孔３８Ｃにこの順番に差し込むことで、受信装置２８は、閉塞部材３４に取り付けられる。
【００５５】
（作用）
以上の構成において、図１に示されるように、閉塞部材３４に取り付けられた受信装置２８の接続部５０Ａに、信号配線６４の先端に取り付けられたコネクタ６６が接続される。
【００５６】
さらに、閉塞部材３４に取り付けられた受信装置２８のアンテナ線５４の一部が、閉塞部材３４の厚肉部４０に形成された保持部４２の溝部４２Ａに嵌め込まれることで、保持部４２が、アンテナ線５４を保持する。また、基端が制御基板２６に接続された電源線６０の一部が、閉塞部材３４の径方向の外側から切欠部４０Ｂに嵌め込まれることで、閉塞部材３４が、電源線６０を保持する。
【００５７】
さらに、電源線６０において閉塞部材３４から筐体１２の外部に延びている部分と、アンテナ線５４において保持部４２から筐体１２の外部に延びている部分とは、配線保護材７４を用いて束ねられている。
【００５８】
また、閉塞部材３４が、下方部材３２Ｂの装置幅方向の一方側の部分に配置される。そして、上方部材３２Ａの装置幅方向に延びた一対の縁部と、下方部材３２Ｂの装置幅方向に延びた一対の縁部とを装置上下方向に重ねた状態で、上方部材３２Ａと下方部材３２Ｂとを、図示せぬ取付部材によって取り付ける。
【００５９】
そして、開閉装置１０は、図６に示されるように、シャッタケース１１４の内部で、かつ、少なくとも一部が筒状の巻取体１０６の装置幅方向に一方側（図中右側）の内部に配置されている。
【００６０】
この状態で、シャッタ装置１００の外部から送信機を操作することにより無線で送信された制御信号を、受信装置２８はアンテナ線５４を介して受信する。制御信号を受信した受信装置２８は、信号配線６４を介して制御信号を制御基板２６に実装された駆動制御回路へ伝送する。また、制御基板２６に実装された駆動制御回路が、駆動モータ１６を回転させ、駆動モータ１６から出力された回転力は、減速機構１８によって減速、かつ、増大されて、回転伝達部材２２から巻取体１０６へと伝達される。そして、巻取体１０６が回転することで、シャッタカーテン１０４が、巻き出され、又は巻き取られることで、上下移動する。
【００６１】
（まとめ）
以上説明したように、受信装置２８は、筐体１２の閉塞部材３４に取り付けられている。このため、受信装置２８が筐体１２の外部で筐体１２とは離間した場所に取り付けられる場合と比して、筐体１２の外部の空間を有効に活用することができる。
【００６２】
また、受信装置２８は、信号配線６４を介して制御基板２６の駆動制御回路と接続されている。受信装置２８が、制御基板２６に直接取り付けられる場合と比して、受信装置２８を介して制御基板２６にかかる振動等の負荷を軽減することができる。
【００６３】
また、受信装置２８は、筐体１２の内部に配置されている。このため、受信装置２８が、筐体１２の外部に配置されている場合と比して、雨水等の液体が受信装置２８に付着するのを抑制することができる。
【００６４】
また、受信装置２８と、信号配線６４のコネクタ６６と、受信装置２８の接続部５０Ａとは、筐体１２の内部に配置されている。このため、コネクタ６６と接続部５０Ａとを接続する部分が筐体１２の外部である場合と比して、外力によりコネクタ６６と接続部５０Ａとの接続が解除されるのを抑制することができる。
【００６５】
また、閉塞部材３４は、弾性材料で形成されている。このため、筐体１２に衝撃が加わって筐体１２が振動した場合でも、閉塞部材３４が振動を吸収することで、受信装置２８に振動が伝達されるのを抑制することができる。
【００６６】
また、閉塞部材３４は、弾性材料で形成されている。このため、閉塞部材３４に形成された切欠部４０Ｂの周面を電源線６０に押し付けることで、切欠部４０Ｂと電源線６０との間から筐体１２の内部に液体が浸入するのを抑制することができる。
【００６７】
また、閉塞部材３４は、弾性材料（ゴム材料）で形成されている。このため、閉塞部材３４が金属で形成されている場合と比して、筐体１２の内部に配置された受信装置２８の電波特性の低下を抑制することができる。
【００６８】
また、受信装置２８は、樹脂クリップ７０を用いて閉塞部材３４に取り付けられている。このため、ネジ等を用いて取り付ける場合と比して、受信装置２８を容易に閉塞部材３４に取り付けることができる。
【００６９】
また、シャッタ装置１００においては、開閉装置１０を備えることで、シャッタ装置の内部の空間を有効に活用することができる。
【００７０】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、受信装置２８を筐体１２の内部に配置したが、受信装置２８が筐体１２に取り付けられていればよく、例えば、受信装置が、ブラケット等を介して筐体１２に取り付けられ、筐体１２の外部に配置されていてもよい。しかし、この場合には、受信装置２８が筐体１２の内部に配置されることで奏する作用は奏しない。
【００７１】
また、上記実施形態では、閉塞部材３４は、弾性材料で形成されたが、例えば、閉塞部材が金属材料で形成されてもよい。しかし、この場合には、閉塞部材３４が弾性材料で形成されることで奏する作用は奏しない。
【００７２】
また、上記実施形態では、特に説明しなかったが、開閉装置１０を用いることで、既存の手動シャッタを、容易に電動シャッタに変えることができる。
【符号の説明】
【００７３】
１０    開閉装置
１２    筐体
１６    駆動モータ（モータの一例）
２６    制御基板
２８    受信装置
３２    本体部
３４    閉塞部材
５４    アンテナ線（アンテナの一例）
６４    信号配線（配線の一例）
１００  シャッタ装置
１０４  シャッタカーテン
１０６  巻取体
【図１】
2019199741.tif 000003
【図２】
2019199741.tif 000004
【図３】
2019199741.tif 000005
【図４】
2019199741.tif 000006
【図５】
2019199741.tif 000007
【図６】
2019199741.tif 000008